(57)【要約】【課題】蓋がロックの確実性と解除の容易性を兼ね備えたものとなる、構成が簡単で小型に形成できる、等の利点を有する蓋装置及びデジタルカメラを提供。【解決手段】本蓋装置３０は、筐体１１の一部に配置された格納室２０を閉鎖可能な如く上記筐体１１に設けられた支軸３３に対し回動自在に軸支された蓋３１と、この蓋３１を前記支軸３３のスラスト方向の第一の位置Ｐ１と第二の位置Ｐ２との間をスライド可能に保持するスライド機構ＳＭと、このスライド機構ＳＭによりスライド可能に保持された前記蓋３１を前記第一の位置Ｐ１方向へ付勢する付勢部材３５と、前記蓋３１が前記格納室２０を閉鎖する閉鎖位置ＣＰにおいて前記第一の位置Ｐ１へ移動したとき当該蓋３１を開放不能な状態にロックし、前駆蓋３１が上記閉鎖位置ＣＰにおいて前記第二の位置Ｐ２へ移動したとき当該蓋３１を開放可能な状態にアンロックするロック機構ＬＣとを備えたことを主たる特徴としている。【選択図】    図２
2005005309.tif 000002
【特許請求の範囲】
【請求項１】
筐体の一部に配置された格納室を閉鎖可能な如く、上記筐体に設けられた支軸に対し回動自在に軸支された蓋と、
この蓋を前記支軸のスラスト方向の第一の位置と第二の位置との間をスライド可能に保持するスライド機構と、
このスライド機構によりスライド可能に保持された前記蓋を、前記第一の位置方向へ付勢する付勢部材と、
前記蓋が前記格納室を閉鎖する閉鎖位置において前記第一の位置へ移動したとき、当該蓋を開放不能な状態にロックし、前駆蓋が上記閉鎖位置において前記第二の位置へ移動したとき、当該蓋を開放可能な状態にアンロックするロック機構と、
を備えたことを特徴とする蓋装置。
【請求項２】
前記付勢部材は、前記支軸に巻装されたコイルスプリングであることを特徴とする請求項１に記載の蓋装置。
【請求項３】
前記コイルスプリングは、一端部が前記筐体の一部に接し、他端部が前記蓋の一部に接し、前記蓋を前記第一の位置の方向および開放位置の方向へ付勢するように装着されたことを特徴とする請求項２に記載の蓋装置。
【請求項４】
前記コイルスプリングは、支軸における軸受部の内部に、外部から視認不能な状態に収容保持されたことを特徴とする請求項２に記載の蓋装置。
【請求項５】
前記蓋は、デジタルカメラ筺体における記録媒体収納室の開口部を保護する蓋であることを特徴とする請求項１ないし４のいずれか一つに記載の蓋装置。
【請求項６】
前記蓋は、デジタルカメラ筐体のグリップ部側面に配置されたことを特徴とする請求項５に記載の蓋装置。
【請求項７】
前記筐体は係合用凹部を有し、前記蓋は上記係合用凹部と係合可能な係合用突部を有しており、上記係合用突部は、当該係合用突部の先端部に、前記係合用凹部の開口端に衝接したとき、ベクトル分力により前記蓋全体を前記第二の位置方向へ移動させるテーパー面を有していることを特徴とする請求項５に記載の蓋装置。
【請求項８】
請求項１ないし７のいずれか一つに記載の蓋装置を備えたことを特徴とするデジタルカメラ。
【発明の詳細な説明】
【０００１】
【発明の属する技術分野】
この発明は、例えばデジタルカメラ等の携帯機器における被保護部を保護するための蓋装置、及びこの蓋装置を備えたデジタルカメラに関する。
【０００２】
【従来の技術】
一般に、この種の蓋装置は、筐体の一部に配置された被保護部（例えばデジタルカメラの場合、カメラ側面に配置される記録媒体収納室の開口部等）を保護するために、保護蓋が筺体の支軸に対し回動自在に軸支されている。そして閉じられた状態の蓋が閉鎖状態を安定に保持されるように、当該蓋は何らかのロック手段でロックされるようになっている。このロック手段として、例えば回動式のロック専用のレバーなどを備えたものにすると、ロック機構自体ひいては蓋装置全体が大型化する。そこでデジタルカメラ等の携帯機器における蓋装置では、蓋の一部に形成した係止爪（スナップフィット用ツメ部）を弾性変形させて筐体に係止させる手段（特許文献１参照）が多用されている。
【０００３】
【特許文献１】
特開平１１−８８８１８号公報（段落［００２８］、図４）
【０００４】
【発明が解決しようとする課題】
特許文献１に示されているように、蓋の一部に形成した係止爪を弾性変形させて筐体に係止させる手段を用いたものでは、ロックの確実性と解除の容易性を両立させることが困難である。すなわち、蓋が衝撃等で簡単に開かないようにロック力を強いものにすると、蓋を開けるときの解除操作が困難となる。これとは逆に蓋を開け易いものにすると、衝撃等で蓋が簡単に開いてしまうおそれが出てくる。
【０００５】
本発明は、このような事情に基づいてなされたものであり、その目的は、下記のような利点を有する蓋装置およびこの蓋装置を備えたデジタルカメラを提供することにある。
【０００６】
（ａ）  保護用の蓋がロックの確実性と解除の容易性を兼ね備えたものとなる。
【０００７】
（ｂ）  構成が簡単で小型に形成できる。
【０００８】
【課題を解決するための手段】
前記課題を解決し目的を達成するために、本発明の蓋装置およびこの蓋装置を備えたデジタルカメラは下記のような特徴ある構成を有している。なお下記以外の特徴ある構成については実施形態の中で明らかにする。
【０００９】
（１）本発明の蓋装置は、筐体の一部に配置された格納室を閉鎖可能な如く上記筐体に設けられた支軸に対し回動自在に軸支された蓋と、この蓋を前記支軸のスラスト方向の第一の位置と第二の位置との間をスライド可能に保持するスライド機構と、このスライド機構によりスライド可能に保持された前記蓋を前記第一の位置方向へ付勢する付勢部材と、前記蓋が前記格納室を閉鎖する閉鎖位置において前記第一の位置へ移動したとき当該蓋を開放不能な状態にロックし前駆蓋が上記閉鎖位置において前記第二の位置へ移動したとき当該蓋を開放可能な状態にアンロックするロック機構と、を備えたことを特徴としている。
【００１０】
（２）本発明のデジタルカメラは、前記（１）等に記載の蓋装置を備えたことを特徴としている。
【００１１】
【発明の実施の形態】
（第一実施形態）
図１は本発明の第一実施形態に係るデジタルカメラの外観を示す斜視図であり、図２は上記デジタルカメラの蓋装置の構成を示す斜視図である。図３の（ａ）（ｂ）は上記蓋装置の機能を説明するための図である。図４の（ａ）（ｂ）は上記蓋装置の作用を示す要部断面図である。
【００１２】
図１〜図３に示すように、このデジタルカメラ１０は、前カバー１１ａと中カバー１１ｂと後カバー１１ｃとが一体的に結合された筺体１１を有している。
【００１３】
前カバー１１ａの前面部には、レンズバリア１２がガイド溝１３に案内されて図中左右方向へスライド可能な如く装着されている。このレンズバリア１２は、カメラ非使用時には、前カバー１１ａの内側に引き込まれた撮影レンズ１４の前面を覆うことにより、同撮影レンズ１４の保護を行なう。またカメラ使用時には、撮影レンズ１４の前面を開放して、同撮影レンズ１４の繰り出しを許容し、撮影動作を可能ならしめる。
【００１４】
前記中カバー１１ｂの上面部には、撮影開始を指示するレリーズボタン１５が設けられている。また前記後カバー１１ｃの背面上部にはファインダ接眼部１６が設けられている。
【００１５】
筺体１１のグリップ部側面、すなわち図中左側面のカバー部内には、記録媒体等を格納するための格納室２０が設けられている。この格納室２０には記録媒体収納室２１や外部機器との接続をはかる為のコネクタ部２２，２３等の被保護部Ｘが配置されている。
【００１６】
本実施形態では、記録媒体収納室２１はカード型のデータ記録媒体（不図示）が装填されるカードスロットであり、コネクタ部２２はビデオ信号接続プラグ（不図示）が挿着されるビデオ端子であり、コネクタ部２３はＵＳＢ接続プラグ（不図示）が挿着されるＵＢＳ端子である。
【００１７】
かくしてこのデジタルカメラ１０は、前記記録媒体収納室２１に収納されるデータ記録媒体に、撮影画像データを記録し、かつ上記撮影画像データを前記コネクタ部２２，２３を介して入出力可能となっている。
【００１８】
上記格納室２０は、筺体１１の図中左側面のカバー部に設けた蓋装置３０によって閉鎖されるものとなっている。この蓋装置３０は、蓋３１と、この蓋３１の内面に取付けた防水用のゴムパッキング３２と、上記蓋を回動可能に軸支するための支軸３３とを備えている。
【００１９】
かくして蓋３１は、図１に示されているように、前記格納室２０を閉鎖する閉鎖位置ＣＰと、図２に示されているように、前記格納室２０を開放する開放位置ＯＰとの間を回動し得るものとなっている。
【００２０】
上記支軸３３は、一対の支持ブロック３３ａ，３３ｂによってシャフト３３ｃを支持した構造を有している。このシャフト３３ｃに前記蓋３１の軸受部３１ａ、３１ｂが回動可能に嵌め込まれている。図３の（ａ）に示すように、軸受部３１ａの外側面と軸受部３１ｂの外側面との間隔Ｌ１は、支持ブロック３３ａの内側面と支持ブロック３３ｂの内側面との間隔Ｌ２に比べて若干狭く設定されている。従って両者間には上記間隔の差分に相当する間隙部Ｇ（後述するように蓋３１の開閉に応じてＧ１またはＧ２となる）が存在している。この間隙部Ｇによって、図３の（ａ）（ｂ）に示すように、蓋３１は支軸３３のスラスト方向の第一の位置Ｐ１と第二の位置Ｐ２との間をスライド可能に保持される。すなわち支軸３３は本発明のスライド機構ＳＭを備えている。
【００２１】
上記間隙部Ｇには、付勢部材としてのコイルスプリング３５が、若干圧縮された状態で嵌め込まれている。従って前記スライド機構ＳＭによりスライド可能に保持された前記蓋３１は、上記コイルスプリング３５の付勢力により、第一の位置Ｐ１の方向へ付勢される。なお蓋３１が第一の位置Ｐ１にあるときは、前記間隙部ＧはＧ１となる。また蓋３１が第二の位置Ｐ２に移動すると、コイルスプリング３５が圧縮されて前記間隙部ＧはＧ２に縮小する。
【００２２】
前記蓋３１の下端部位には係合用突部３４が設けられている。この係合用突部３４は、筐体１１の下端部位に設けられている係合用凹部２４に対し挿脱自在に係合し得るものとなっている。図４の（ａ）に示すように、係合用突部３４は、先端部下面に爪部３４ａを有し、下面全域に滑り止め用の波形凹凸部からなる操作部３４ｂを有している。爪部３４ａの前部はテーパ面Ｔとなっており、後部は垂直面Ｖとなっている。また係合用凹部２４は開口端の下端部が突出部２４ａとなっており、その奥方向に係止溝２４ｂが設けられている。係合用突部３４と係合用凹部２４とは本発明のロック機構ＬＣを構成している。
【００２３】
このロック機構ＬＣは、蓋３１が前記格納室２０を閉鎖する閉鎖位置ＣＰにおいて前記第一の位置Ｐ１へ移動したとき、当該蓋３１を開放不能な状態にロックし、蓋３１が上記閉鎖位置ＣＰにおいて前記第二の位置Ｐ２へ移動したとき、当該蓋３１を開放可能な状態にアンロックするものとなっている。
【００２４】
次に、上記の如く構成された第一実施形態に係る蓋装置の動作を説明する。
【００２５】
（ｉ）蓋３１の閉動作
図２のように開いた状態すなわち開放位置ＯＰに位置している蓋３１を、図１のように閉鎖位置ＣＰへ移動させて閉じた状態となすには、単に蓋３１を閉じる方向へ回動操作すればよい。このようにすると蓋３１の係合用突部３４が筐体１１の係合用凹部２４の中へ挿入され両者は係合状態となる。
【００２６】
すなわち、図４の（ａ）に示す状態から、係合用突部３４が係合用凹部２４の中に押し込まれ、係合用突部３４の爪部３４ａが係合用凹部２４の開口端突出部２４ａに衝接すると、爪部３４ａの前部テーパー面Ｔに上方向のベクトル分力が働く。このため蓋３１全体が上方へ押し上げられる。このとき係合用突部３４は、図４の（ｂ）に示すように、前記第一の位置Ｐ１に対応するレベルＱ１から、第二の位置Ｐ２に対応するレベルＱ２へ破線で示す如く上方へ移動する。さらに係合用突部３４が押し込まれると、係合用突部３４の爪部３４ａは係合用凹部２４の開口端突出部２４ａを乗り越えて係止溝２４ｂに落ち込む。このときコイルスプリング３５の付勢力により蓋３１は下方向へ付勢され、爪部３４ａは係止溝２４ａの中に安定に係合保持される。
【００２７】
この状態から蓋３１を開こうとして蓋３１に開放方向への回動力を与えても、係合用突部３４の爪部３４ａの後部垂直面Ｖが、係合用凹部２４の係止溝２４ｂの垂直係止面Ｗで係止されているため、蓋３１は簡単には開かない。従って、たとえ振動などが加わっても、蓋３１が開放してしまうおそれはない。
【００２８】
（ｉｉ）蓋３１の開動作
図１のように閉じた状態すなわち閉鎖位置ＣＰに位置している蓋３１を、図２のように開放位置ＯＰへ移動させて開いた状態となすには、蓋３１を上方へ押し上げながら蓋３１を開く方向へ回動操作すればよい。このようにすると、前述と同様に、係合用突部３４はレベルＱ１からレベルＱ２へ移動する。このため係合用突部３４の爪部３４ａが係合用凹部２４の係止溝２４ｂから真上に離脱し係合が解かれる。蓋３１は上記の状態から開放位置ＯＰの方向へ回動操作されるため無理なく開放状態となる。
【００２９】
かくして、この蓋装置３０によれば、図４の（ｃ）に破線で示すように、係合用突部３４を弾性変形させて、係合用凹部２４から離脱させる必要がなくなる。このため蓋３１の開操作が極めて容易となる。
【００３０】
（第二実施形態）
図５の（ａ）は本発明の第二実施形態に係る蓋装置３０の構成を示す斜視図である。本実施形態が第一実施形態と異なる点は、付勢部材としてのコイルスプリング３５が、蓋３１を前記第一の位置Ｐ１の方向へ付勢する機能だけでなく、蓋３１を開放位置ＯＰの方向へ付勢する機能をも有するように構成されている点である。
【００３１】
すなわちコイルスプリング３５は、図５の（ｂ）に示すように両端部位がストレート状に引き伸ばされている。そして筐体１１の一部に接する一端部３５ａと蓋３１の内面に接する他端部３５ｂとの間に、コイルスプリング３５のラジアル方向へ付勢力Ｒが生じるように、またコイル部３５ｃにコイルスプリング３５のスラスト方向へ付勢力Ｓが生じるように、コイルスプリング３５は、所定の「捩じり」を与えられると共に、若干「圧縮」されて支軸３３に装着される。
【００３２】
この第二実施形態においては、蓋３１を開動作させる際、蓋３１を第二の位置Ｐ２の方向へ移動せて係合用突部３４と係合用凹部２４との係合を解除すると、蓋３１はコイルスプリング３５の付勢力で自ら開放動作する。従って蓋３１の開操作がさらに容易となる。上記の点以外は第一実施形態と同様であるので詳しい説明は省略する。
【００３３】
（第三実施形態）
図６の（ａ）（ｂ）は本発明の第三実施形態に係る蓋装置３０の構成及び機能を示す部分側面図である。本実施形態が第一実施形態と異なる点は、付勢部材としてのコイルスプリング３５が、外部から視認されないように、蓋３１の一方の軸受部（本実施形態では３１ａ）の中空部３６の中に収容保持した点である。
【００３４】
この第三実施形態においても、蓋３１を開閉動作させたとき、蓋３１は図６の（ａ）に示す第一の位置Ｐ１から、付勢部材としてのコイルスプリング３５を圧縮させて、図６の（ｂ）に示す第二の位置Ｐ２へ移動することが可能となる。なお蓋３１が第一の位置Ｐ１にあるときは、前記間隙部ＧはＧ３となる。また蓋３１が第二の位置Ｐ２に移動すると、コイルスプリング３５が圧縮されて前記間隙部ＧはＧ４に縮小する。本実施形態においては、コイルスプリング３５が軸受部３１ａの中空部３６の中に収容保持されているため、上記間隙部Ｇ４を略零となし得る。またコイルスプリング３５が外部に露出していないことから外観が向上する。上記の点以外は第一実施形態と同様であるので詳しい説明は省略する。
【００３５】
（実施形態における特徴点）
［１］実施形態に示された蓋装置３０は、
筐体１１の一部に配置された格納室２０を閉鎖可能な如く、上記筐体１１に設けられた支軸３３に対し回動自在に軸支された蓋３１と、
この蓋３１を前記支軸３３のスラスト方向の第一の位置Ｐ１と第二の位置Ｐ２との間をスライド可能に保持するスライド機構ＳＭと、
このスライド機構ＳＭによりスライド可能に保持された前記蓋３１を、前記第一の位置Ｐ１方向へ付勢する付勢部材３５と、
前記蓋３１が前記格納室２０を閉鎖する閉鎖位置ＣＰにおいて前記第一の位置Ｐ１へ移動したとき、当該蓋３１を開放不能な状態にロックし、前駆蓋３１が上記閉鎖位置ＣＰにおいて前記第二の位置Ｐ２へ移動したとき、当該蓋３１を開放可能な状態にアンロックするロック機構ＬＣと、
を備えたことを特徴としている。
【００３６】
上記蓋装置３０においては、閉鎖位置ＣＰにおいて蓋３１を第一の位置Ｐ１へ移動させると、ロック機構ＬＣが働いて当該蓋３１は開放不能な状態に確実にロックされる。また閉鎖位置ＣＰにおいて蓋３１を第二の位置Ｐ２へ移動させると、ロック機構ＬＣによるロックが解除されて当該蓋３１は簡単に開放可能となる。なお上記蓋３１の第一の位置Ｐ１から第二の位置Ｐ２への移動は、付勢部材３５の付勢力に抗して行なわれるが、付勢部材３５の付勢力はそれほど大きいものではない。従って係止爪を弾性変形させて筐体に係止させる手段を用いた従来のものに比べると、蓋３１の開閉操作とりわけ開放操作が極めて容易となる。またこの蓋装置３０は蓋３１を支軸３３のスラスト方向へ移動可能に設けると共に、蓋３１を第一の位置Ｐ１の方向へ付勢する付勢部材３５を取付けるだけで構成できる。従って、例えば回動式のロック専用のレバーなどを備えたものに比べると、構成が簡単で小型に形成できる。
【００３７】
［２］実施形態に示された蓋装置３０は、前記［１］に記載の蓋装置であって、前記付勢部材３５は、前記支軸３３に巻装されたコイルスプリングであることを特徴としている。
【００３８】
上記蓋装置３０においては、付勢部材３５の取付けスペースが支軸３３の外周部だけに限られる。このため付勢部材３５を狭小なスペース内に効率良く組み付けることができ大型化しない。
【００３９】
［３］実施形態に示された蓋装置３０は、前記［２］に記載の蓋装置であって、前記コイルスプリング３５は、一端部３５ａが前記筐体１１の一部に接し、他端部３５ｂが前記蓋３１の一部に接し、前記蓋３１を前記第一の位置Ｐ１の方向および開放位置ＯＰの方向へ付勢するように装着されたことを特徴としている。
【００４０】
上記蓋装置３０においては、蓋３１がコイルスプリング３５によって開放位置ＯＰの方向へ付勢されるため、蓋３１を閉鎖位置ＣＰにおいて第二の位置Ｐ２の方向へ移動操作すると、ロック機構ＬＣによるロックが解除されると同時に当該蓋３１が自動的に開放動作することになる。このため蓋３１の開放操作がさらに容易となる。
【００４１】
［４］実施形態に示された蓋装置３０は、前記［２］に記載の蓋装置であって、前記コイルスプリング３５は、支軸３３における軸受部（実施形態では３１ａ）の内部に、外部から視認不能な状態に収容保持されたことを特徴としている。
【００４２】
上記蓋装置３０においては、コイルスプリング３５が軸受部３１ａの中空部３６の中に収容保持され、外部に露出していないことから外観が向上する。
【００４３】
［５］実施形態に示された蓋装置３０は、前記［１］ないし［４］のいずれか一つに記載の蓋装置であって、
前記蓋３１は、デジタルカメラ筺体１１における記録媒体収納室２１の開口部を保護する蓋であることを特徴としている。
【００４４】
［６］実施形態に示された蓋装置３０は、前記［５］に記載の蓋装置であって、
前記蓋３１は、デジタルカメラ筐体１１のグリップ部側面に配置されていることを特徴としている。
【００４５】
［７］実施形態に示された蓋装置３０は、前記［５］に記載の蓋装置であって、
前記筐体１１は係合用凹部２４を有し、前記蓋３１は上記係合用凹部２４と係合可能な係合用突部３４を有しており、上記係合用突部３４は、当該係合用突部３４の先端部（３４ａ）に、前記係合用凹部２４の開口端（２４ａ）に衝接したとき、ベクトル分力により前記蓋３１全体を前記第二の位置Ｐ２方向へ移動させるテーパー面Ｔを有していることを特徴としている。
【００４６】
上記蓋装置３０においては、蓋３１を閉じるときは、単に蓋３１を閉操作するだけで、係合用突部３４が係合用凹部２４の中にスムーズに挿入され、係合状態となる。従って蓋３１をワンタッチ操作で簡単に閉じることが出来る。
【００４７】
［８］実施形態に示されたデジタルカメラ１０は、前記［１］ないし［７］のいずれか一つに記載の蓋装置３０を備えたことを特徴としている。
【００４８】
（変形例）
実施形態に示された蓋装置およびデジタルカメラは、下記の変形例を含んでいる。
【００４９】
・図７の（ａ）に示すように、付勢部材としてコイルスプリング３５の代わりにゴム等の弾性材料で一体成形した筒状の付勢部材４５を用いてもよい。なお二点鎖線で示すように外周に環状溝４５ａを形成したものでも良い。上記付勢部材４５を用いるとコイルスプリング３５を用いたものより外観が向上する。
【００５０】
・図７の（ｂ）に示すように、金属あるいは樹脂等の弾性部材で形成した板ばね（例えばスプリング座金）からなる付勢部材５５を、１個または複数個重ねて用いてもよい。なお皿型をなすスプリング座金からなるものでも良い。
【００５１】
【発明の効果】
本発明によれば、下記のような作用効果を奏する蓋装置およびこの蓋装置を備えたデジタルカメラを提供できる。
【００５２】
（ａ）  蓋を閉鎖位置において支軸のスラスト方向の第１の位置へ移動させると蓋は確実にロックされる。また蓋を上記閉鎖位置において支軸のスラスト方向の第２の位置へ移動させると蓋は簡単にロックを解除される。かくして保護用の蓋がロックの確実性と解除の容易性を兼ね備えたものとなる。
【００５３】
（ｂ）  蓋を支軸のスラスト方向へ移動可能に設けると共に、コイルスプリング等からなる付勢部材を取付けるだけで構成できる。従って、例えば回動式のロック専用のレバーなどを備えたものに比べると、構成が簡単で小型に形成できる。
【図面の簡単な説明】
【図１】本発明の第一実施形態に係るデジタルカメラの外観を示す斜視図。
【図２】本発明の第一実施形態に係る蓋装置の構成を示す斜視図。
【図３】（ａ）（ｂ）は本発明の第一実施形態に係る蓋装置の機能を説明する為の図。
【図４】（ａ）（ｂ）は本発明の第一実施形態に係る蓋装置の作用を示す要部断面図。
【図５】（ａ）（ｂ）は本発明の第二実施形態に係る蓋装置の構成を示す図で、（ａ）は斜視図、（ｂ）は付勢部材であるコイルスプリングの斜視図。
【図６】（ａ）（ｂ）は本発明の第三実施形態に係る蓋装置の構成及び機能を説明する為の部分側面図。
【図７】（ａ）（ｂ）はそれぞれ本発明に係る付勢部材の変形例を示す斜視図。
【符号の説明】
１０  デジタルカメラ
１１  筺体
２０  格納室
２１  記録媒体収納室
２２，２３  コネクタ部
２４  係合用凹部
３０  蓋装置
３１  蓋
３２  ゴムパッキング
３３  支軸
３４  係合用突部
３５  コイルスプリング（付勢部材）
ＣＰ  蓋の閉鎖位置
ＯＰ  蓋の開放位置
Ｐ１  スラスト方向の第一の位置
Ｐ２  スラスト方向の第二の位置
ＳＭ  スライド機構
ＬＣ  ロック機構
Ｇ  間隙部
【図１】
2005005309.tif 000003
【図２】
2005005309.tif 000004
【図３】
2005005309.tif 000005
【図４】
2005005309.tif 000006
【図５】
2005005309.tif 000007
【図６】
2005005309.tif 000008
【図７】
2005005309.tif 000009